(57)【要約】【課題】カードを傷付けずにその飛び出し事故が確実に防止できるカード用コネクタを提供すること。【解決手段】所定の装着位置に保持されているカード２０をハウジング２の奥側へプッシュ操作することにより、ばね部材６の加圧部６ａに弾性付勢されるスライダ５がカード２０を押し込みながら手前側（カード排出方向）へ移動するカード用コネクタ１であって、ハウジング２の本体部３に、スライダ５が手前側の所定範囲内に位置しているときに加圧部６ａに当接してばね部材６の手前側への移動を規制する規制段部（規制部）３ｂを設け、カード２０が前記装着位置から排出される途中で加圧部６ａの当接する相手がスライダ５から規制段部３ｂに切り替わるようにした。【選択図】図７
2009283258.tif 000002
【特許請求の範囲】
【請求項１】
カードを挿抜する挿入口を有して該挿入口の奥側の収納空間に前記カードが装着可能なハウジングと、このハウジング内で前記カードと一体的に往復動可能なスライダと、このスライダに当接可能な加圧部を有して該スライダを手前側へ弾性付勢するばね部材と、このばね部材の付勢力に抗して前記スライダを拘持することにより前記カードを所定の装着位置に保持可能なカム機構とを備え、前記装着位置に保持されている前記カードを前記ハウジングの奥側へプッシュ操作することにより該カードが前記スライダを介して前記ばね部材の付勢力で手前側へ排出されるカード用コネクタであって、
前記ハウジングに前記加圧部に当接して前記ばね部材の手前側への移動を規制する規制部を設け、前記カードが前記装着位置から排出される途中で前記加圧部の当接する相手が前記スライダから前記規制部に切り替わるようにしたことを特徴とするカード用コネクタ。
【請求項２】
請求項１の記載において、前記ハウジングが本体部と該本体部を蓋閉するように組み付けられた金属カバーとからなり、前記本体部の内壁に形成された段部を前記規制部となしたことを特徴とするカード用コネクタ。
【請求項３】
請求項１の記載において、前記ハウジングに前記スライダを前記収納空間に向けて弾性付勢する弾性片を設け、この弾性片によって前記スライダが排出時の前記カードに圧接されるようにしたことを特徴とするカード用コネクタ。
【請求項４】
請求項３の記載において、前記ハウジングが本体部と該本体部を蓋閉するように組み付けられた金属カバーとからなり、前記金属カバーに形成された切り起こし片を前記弾性片となしたことを特徴とするカード用コネクタ。
【請求項５】
請求項３または４の記載において、前記スライダに前記収納空間に向けて突出する突起部を設け、この突起部が前記弾性片の付勢力で前記カードに圧接されるようにしたことを特徴とするカード用コネクタ。
【発明の詳細な説明】
【技術分野】
【０００１】
本発明は、ハウジング内にＳＤカード等のカードを装着可能なカード用コネクタに係り、特に、排出時のカードがハウジングから飛び出して損傷しないようにするためのカード飛び出し防止構造に関するものである。
【背景技術】
【０００２】
この種の従来技術として、ハウジングの金属カバー（シェル）に折り曲げ形成した舌片をカードの表面に弾接させて、排出時のカードに舌片の摺動抵抗が作用するように構成したものが知られている（例えば、特許文献１参照）。
【０００３】
かかる従来技術において、ハウジングは、コンタクト端子群が配設された本体部と、本体部を蓋閉するように組み付けられた金属カバーとからなる。ハウジングにはカードを挿抜させるための挿入口が開設されており、挿入口の奥側の収納空間にカードを装着させることができるようになっている。ハウジング内には、カードと一体的に往復動するスライダと、このスライダを手前側（カード排出方向）へ弾性付勢するコイルばねとが組み込まれている。カードがハウジング内へ挿入されると、スライダが一体的に奥側へ移動すると共に、スライダに付設された抜け止め部材がカードと係合する。そして、カードがハウジング内へ所定量挿入されると、ハート型カム機構がスライダを拘持することによって、カードは所定の装着位置に保持された状態となる。また、装着状態のカードをハウジングの奥側へプッシュ操作すると、スライダが拘持状態から解放されてばね部材の付勢力で手前側へ移動するため、カードはスライダに押し込まれて手前側へ排出される。このとき、カードは金属カバーの舌片の摺動抵抗を受けながら排出されるので、カードに対する舌片の圧接力をある程度強く設定しておけば、ばね部材の付勢力でカードがハウジング内から勢いよく飛び出してしまうという事故を未然に防止できる。
【特許文献１】特開２００１−２９１５５３号公報
【発明の開示】
【発明が解決しようとする課題】
【０００４】
しかしながら、前述した従来例のカード飛び出し防止構造のように、金属片等からなる舌片をカードの表面に弾接させて排出時のカードを制動するという構成では、カードに対する舌片の圧接力が弱いとカードの飛び出し事故を確実に防止できず、逆に舌片の圧接力が強いとカードの表面に傷が付いてしまうという問題があった。
【０００５】
本発明は、このような従来技術の実情に鑑みてなされたもので、その目的は、カードを傷付けずにその飛び出し事故を確実に防止できるカード用コネクタを提供することにある。
【課題を解決するための手段】
【０００６】
上記の目的を達成するため、本発明は、カードを挿抜する挿入口を有して該挿入口の奥側の収納空間に前記カードが装着可能なハウジングと、このハウジング内で前記カードと一体的に往復動可能なスライダと、このスライダに当接可能な加圧部を有して該スライダを手前側へ弾性付勢するばね部材と、このばね部材の付勢力に抗して前記スライダを拘持することにより前記カードを所定の装着位置に保持可能なカム機構とを備え、前記装着位置に保持されている前記カードを前記ハウジングの奥側へプッシュ操作することにより該カードが前記スライダを介して前記ばね部材の付勢力で手前側へ排出されるカード用コネクタにおいて、前記ハウジングに前記加圧部に当接して前記ばね部材の手前側への移動を規制する規制部を設け、前記カードが前記装着位置から排出される途中で前記加圧部の当接する相手が前記スライダから前記規制部に切り替わるように構成した。
【０００７】
このように構成されたカード用コネクタでは、排出途中のカードがスライダに押し込まれて所定の排出位置に到達する前に、スライダを弾性付勢するばね部材の加圧部がハウジングの規制部に当接して手前側への移動を規制されるため、この後、スライダにはばね部材の付勢力が作用せず慣性で手前側へ移動することになる。そして、慣性で移動しながらスライダは速やかに減速するため、カードも速やかに減速して所定の排出位置に到達する。したがって、カードの表面を傷付けるような強い圧接力を付与しなくても、排出時に懸念されるカードの飛び出し事故を確実に防止することができる。
【０００８】
上記の構成のカード用コネクタにおいて、ハウジングが本体部と該本体部を蓋閉するように組み付けられた金属カバーとからなり、この本体部の内壁に形成された段部を前記規制部となしておけば、ハウジングの本体部の製作時に所望の規制部を容易に形成できるため好ましい。ただし、同様に機能する規制部をハウジングの金属カバーに形成することも可能である。
【０００９】
また、上記の構成のカード用コネクタにおいて、ハウジングにスライダを収納空間に向けて弾性付勢する弾性片を設け、この弾性片によってスライダが排出時のカードに圧接されるようにしておけば、慣性で手前側へ移動するスライダを弾性片で制動して速やかに停止させることができるため、カードを所定の排出位置に停止させやすくなる。さらに、この弾性片によって、ばね部材に付勢されていないときに懸念されるスライダのガタを防止することもできる。
【００１０】
この場合において、ハウジングが本体部と該本体部を蓋閉するように組み付けられた金属カバーとからなり、この金属カバーに形成された切り起こし片を前記弾性片となしておけば、金属カバーの製作時に所望の弾性片を容易に形成できるため好ましい。また、スライダに収納空間に向けて突出する突起部を設け、この突起部が前記弾性片の付勢力でカードに圧接されるようにしておけば、慣性で手前側へ移動するスライダをカードに確実に圧接させることができるため高い制動力を期待できる。
【発明の効果】
【００１１】
本発明のカード用コネクタは、排出途中のカードがスライダに押し込まれて所定の排出位置に到達する前に、スライダを弾性付勢するばね部材の加圧部がハウジングの規制部に当接して手前側への移動を規制されるため、この後、スライダにはばね部材の付勢力が作用せず慣性で移動しながらカードを押し込むことになって、排出時のカードをスライダと共に速やかに減速させることができる。したがって、カードの表面を傷付けるような強い圧接力を付与しなくても、排出時に懸念されるカードの飛び出し事故を確実に防止することができる。
【発明を実施するための最良の形態】
【００１２】
発明の実施の形態を図面を参照して説明すると、図１は本発明の実施形態例に係るカード用コネクタの外観を示す平面図、図２は該コネクタにカードを装着した状態を示す平面図、図３は図２に示すカードが奥側へプッシュ操作された状態を示す平面図、図４はカード排出時にコイルばねが規制段部に当接する直前の状態を示す平面図、図５は図４中の矢印Ａ−Ａ線に沿う要部断面図、図６は図５に示すコイルばねが規制段部に当接したときの状態を示す要部断面図、図７は図６に示すスライダが慣性で最も手前側の位置まで移動した状態を示す要部断面図、図８は図７の状態に対応する全体の平面図、図９は図８のＢ部拡大図である。ただし、図２〜図４および図８の平面図ではハウジング内を明示するため金属カバーの天板部を省略してある。
【００１３】
図１〜図４に示すように、本実施形態例に係るカード用コネクタ１は、本体部３および金属カバー４からなりカード２０が装着されるハウジング２と、カード２０の排出機構としてハウジング２内に組み込まれたスライダ５およびコイルばね６と、スライダ５に形成されたハート型カム溝７に摺動ピン８を係合させてなるハート型カム機構等を備えて構成されている。
【００１４】
本実施形態例で使用されるカード２０は、ハウジング２の挿入口２ａを介してカード用コネクタ１に挿入することにより、図２に示すようにハウジング２内の所定位置に装着させることができる。このカード２０には、挿入方向の前端部一隅に切欠き部２０ａが形成されている。また、カード２０の一側縁部２０ｂには、スライダ５に付設された板ばね９の自由端側の係合部９ａと係合可能な凹部２０ｃが形成されている。なお、図示していないが、カード２０の裏面には信号の送受信に用いられる接触部材が配設されている。
【００１５】
ハウジング２は、カード２０が装着される収納空間２ｂが設けられた本体部３と、この本体部３を蓋閉するように組み付けられた金属カバー４とからなる。本体部３には収納空間２ｂの奥部に位置するコンタクト端子１０群が配設されており、カード２０が収納空間２ｂに装着されると、前記接触部材がコンタクト端子１０群と接触してカード２０に対する信号の送受信が可能となる。また、本体部３の手前側の端部には金属カバー４の天板部４ａに覆われた前記挿入口２ａが形成されており、この挿入口２ａの奥側の空間が収納空間２ｂとなっている。
【００１６】
図２〜図４に示すように、本体部３の一側部３ａには、カード２０と一体的に往復動可能なスライダ５と、このスライダ５を手前側（カード排出方向）へ弾性付勢するコイルばね６とが組み込まれている。また、図５〜図７に示すように、本体部３の一側部３ａの内底面の所定位置には規制段部３ｂが設けられており、この規制段部３ｂはコイルばね６の加圧部である前端部６ａと当接可能に対向している。そして、コイルばね６が伸長してスライダ５を手前側の所定位置まで移動させた時点で、図６に示すように規制段部３ｂがコイルばね６の前端部６ａに当接して該前端部６ａの手前側への移動を規制するようになっている。したがって、この後、コイルばね６はさらなる伸長が不能となってスライダ５は慣性で手前側へ移動することになる。なお、コイルばね６の後端部は本体部３の一側部３ａの奥部に固定されている。
【００１７】
図１に示すように、金属カバー４の天板部４ａには、収納空間２ｂに向けて斜めに突出してカード２０の上面に軽く弾接するように設定された一対の金属片４ｂと、摺動ピン８をハート型カム溝７から外れないように弾性付勢している押さえ片４ｃとが切り起こされている。また、本体部３の一側部３ａに沿って延びる金属カバー４の一側壁の前端近傍には、スライダ５が図５〜図８に示す手前側の所定範囲内に位置しているときに該スライダ５を収納空間２ｂに向けて弾性付勢する弾性片４ｄ（図９参照）が切り起こされている。これにより、カード２０をカード用コネクタ１から排出させる最終段階において、弾性片４ｄの付勢力でスライダ５の突起部５ａがカード２０の一側縁部２０ｂに圧接するようになっている。
【００１８】
スライダ５の奥部には、カード２０の切欠き部２０ａと係合可能な傾斜部５ｂが設けられている。カード２０がハウジング２内へ挿入されると傾斜部５ｂが切欠き部２０ａに押し込まれるため、スライダ５はカード２０と一体的にカード挿入方向（奥側）へスライド移動し、カード２０をハウジング２内から排出させるときにはコイルばね６の付勢力で傾斜部５ｂが切欠き部２０ａを押し込むため、スライダ５はカード２０と一体的にカード排出方向（手前側）へスライド移動する。また、スライダ５の前端近傍には収納空間２ｂに向けて突出する突起部５ａが設けられており、前述したように、この突起部５ａは弾性片４ｄの付勢力でカード２０の一側縁部２０ｂに圧接する。
【００１９】
スライダ５の上面にはハート型カム溝７が形成されており、スライダ５の往復動に伴って摺動ピン８の自由端側の一端部８ａがハート型カム溝７に沿って相対的に摺動するようになっている。なお、摺動ピン８の他端部は本体部３の一側部３ａの前端部に軸支されている。ハート型カム溝７には往路と復路の境界にロック部７ａ（図３参照）が形成されており、摺動ピン８の一端部８ａがロック部７ａに入り込むと、コイルばね６の付勢力に抗してスライダ５が摺動ピン８に拘持されるため、図２に示すように、カード２０をハウジング２内の所定の装着位置に保持することができる。
【００２０】
スライダ５に付設された板ばね９（図９参照）は、その係合部９ａをカード２０の凹部２０ｃと係合させることによって該カード２０をスライダ５に確実に連結させるためのものである。すなわち、カード２０がハウジング２内へ挿入されると、板ばね９の係合部９ａが凹部２０ｃに入り込んで係合するため、所定の装着位置にカード２０を動かないように保持することができる。
【００２１】
このように構成されたカード用コネクタ１は、カード２０がハウジング２内へ挿入されると、コイルばね６の付勢力に抗してスライダ５がカード２０と一体的に奥側へ移動し、スライダ５に付設された板ばね９の係合部９ａはカード２０の凹部２０ｃと係合する。そして、カード２０がハウジング２内へ所定量挿入されると、摺動ピン８の一端部８ａがハート型カム溝７の往路からロック部７ａへ誘導されて係止され、スライダ５が拘持された状態となるため、板ばね９の係合部９ａと係合しているカード２０は図２に示すように所定の装着位置に保持された状態となる。
【００２２】
また、装着状態のカード２０を図３に示すようにハウジング２の奥側へプッシュ操作すると、摺動ピン８の一端部８ａがハート型カム溝７のロック部７ａから復路へ誘導されてスライダ５が拘持状態から解放されるため、コイルばね６の付勢力でスライダ５が手前側へ移動する。そのため、カード２０がスライダ５の傾斜部５ｂに押し込まれて手前側へ排出されていき、図４と図５に示す状態から図６の状態を経て図７〜図９に示す状態に至る。
【００２３】
かかるカード２０の排出動作について詳しく説明すると、ハート型カム機構による拘持状態から解放されたスライダ５にはコイルばね６の前端部６ａが当接しているため、この前端部６ａがハウジング２の規制段部３ｂに当接するまで、スライダ５はコイルばね６に付勢されながら手前側へ移動していく。そして、図６に示すように、コイルばね６の前端部６ａが規制段部３ｂに当接した時点で、前端部６ａの手前側への移動が規制されてコイルばね６はさらなる伸長が不能となるため、この後、スライダ５は慣性で手前側へ移動しながらカード２０を押し込むことになる。また、こうしてスライダ５が慣性で移動しているときに、金属カバー４の弾性片４ｄがスライダ５を弾性付勢して突起部５ａをカード２０の一側縁部２０ｂに圧接させるため、カード２０とスライダ５には制動力が作用する。また、カード２０の上面には金属カバー４の一対の金属片４ｂが軽く弾接しているため、その摺動抵抗もカード２０に対する制動力となる。その結果、慣性で手前側へ移動するスライダ５と該スライダ５に押し込まれるカード２０は速やかに減速して、図８に示すように、スライダ５が可動範囲の最も手前側の位置へ移動して停止し、カード２０が所定の排出位置に停止する。
【００２４】
以上説明したように、本実施形態例に係るカード用コネクタ１は、排出途中のカード２０がスライダ５に押し込まれて所定の排出位置に到達する前に、スライダ５を弾性付勢するコイルばね６の前端部（加圧部）６ａがハウジング２の規制段部３ｂに当接して手前側への移動を規制されるため、この後、スライダ５にはコイルばね６の付勢力が作用せず慣性で手前側へ移動することになる。そして、慣性で移動しながらカード２０を押し込むスライダ５は速やかに減速するため、カード２０も速やかに減速して所定の排出位置に到達する。したがって、カード２０の表面を傷付けるような強い圧接力を付与しなくても、排出時に懸念されるカード２０の飛び出し事故を確実に防止することができる。
【００２５】
また、本実施形態例では、ハウジング２の本体部３の内壁に形成した段部（規制段部３ｂ）を、所定量伸長したコイルばね６の前端部６ａが位置規制できる規制部となしているため、所望の規制部を本体部３の製作時に容易に形成することができてコストアップを抑制できる。ただし、同様に機能する規制部をハウジング２の金属カバー４に形成することも可能である。
【００２６】
また、本実施形態例では、慣性で手前側へ移動するスライダ５が弾性片４ｄに弾性付勢されてカード２０に圧接するように構成してあるため、スライダ５を弾性片４ｄで制動して速やかに停止させることができ、カード２０を所定の排出位置に停止させやすくなっている。さらに、この弾性片４ｄによって、コイルばね６に付勢されていないときに懸念されるスライダ５のガタを防止することもできる。また、この弾性片４ｄは金属カバー４の切り起こし片なので、金属カバー４の製作時に所望の弾性片４ｄを容易に形成することができてコストアップの虞がない。
【００２７】
しかも、本実施形態例では、弾性片４ｄの付勢力でスライダ５の突起部５ａがカード２０の一側縁部２０ｂに圧接するように構成してあるため、慣性で手前側へ移動するスライダ５をカード２０に確実に圧接させることができて高い制動力を期待できる。
【００２８】
なお、本実施形態例では、一対の金属片４ｂがカード２０の上面に軽く弾接するように構成してあるため、その摺動抵抗もカード２０に対する制動力となっているが、かかる金属片４ｂを省略した構成にしてもよい。
【００２９】
また、上記の実施形態例では、スライダ５を手前側（カード排出方向）へ弾性付勢するばね部材としてコイルばね６を用いているが、トーションばね等の他のばね部材を用いてもよく、その場合も所定位置で該ばね部材の手前側への移動が規制できる規制部をハウジングに設けておけばよい。
【図面の簡単な説明】
【００３０】
【図１】本発明の実施形態例に係るカード用コネクタの外観を示す平面図である。
【図２】該コネクタにカードを装着した状態を示す平面図である。
【図３】図２に示すカードが奥側へプッシュ操作された状態を示す平面図である。
【図４】カード排出時にコイルばねが規制段部に当接する直前の状態を示す平面図である。
【図５】図４中の矢印Ａ−Ａ線に沿う要部断面図である。
【図６】図５に示すコイルばねが規制段部に当接したときの状態を示す要部断面図である。
【図７】図６に示すスライダが慣性で最も手前側の位置まで移動した状態を示す要部断面図である。
【図８】図７の状態に対応する全体の平面図である。
【図９】図８のＢ部拡大図である。
【符号の説明】
【００３１】
１  カード用コネクタ
２  ハウジング
２ａ  挿入口
２ｂ  収納空間
３  本体部
３ｂ  規制段部（規制部）
４  金属カバー
４ｄ  弾性片
５  スライダ
５ａ  突起部
６  コイルばね（ばね部材）
６ａ  前端部（加圧部）
７  ハート型カム溝（カム機構）
８  摺動ピン（カム機構）
９  板ばね
１０  コンタクト端子
２０  カード
【図１】
2009283258.tif 000003
【図２】
2009283258.tif 000004
【図３】
2009283258.tif 000005
【図４】
2009283258.tif 000006
【図５】
2009283258.tif 000007
【図６】
2009283258.tif 000008
【図７】
2009283258.tif 000009
【図８】
2009283258.tif 000010
【図９】
2009283258.tif 000011